(57)【特許請求の範囲】
【請求項１】
入力端に光アイソレータを介さずに接続される第１のエルビウムドープ光ファイバ、波長０．９８μｍの第１のポンプ光を発生する第１の光源、および、光分岐器により分岐された上記第１のポンプ光の一方の分岐光を該エルビウムドープ光ファイバに入力光と同方向に入射する、該第１のエルビウムドープ光ファイバの入力側に設けられた第１の光合波器を含んで構成される、利得が２０ｄＢ以下とされた第１段光アンプと、
該第１段光アンプに縦列接続される第２のエルビウムドープ光ファイバ、上記光分岐器により分岐された第１のポンプ光の他方の分岐光を該第２のエルビウムドープ光ファイバに入力光と同方向に入射する、該第２のエルビウムドープ光ファイバの入力側に設けられた第２の光合波器、波長１．４８μｍの第２のポンプ光を発生する第２の光源、および、該第２のポンプ光を上記第２のエルビウムドープ光ファイバに入力光と逆方向に入射する、該第２のエルビウムドープ光ファイバの出力側に設けられた第３の光合波器を含んで構成される第２段光アンプと、
上記第１段光アンプと第２段光アンプとの間において、第１段光アンプの第１のエルビウムドープ光ファイバの出力側と第２段光アンプの第２の光合波器との間に挿入された第１の光アイソレータおよび利得波長特性補正フィルタと、
上記第２段光アンプの第３の光合波器の出力側に挿入された第２の光アイソレータと
を備えることを特徴とする光ファイバ増幅器。
【請求項２】
入力端に光アイソレータを介さずに接続される第１のエルビウムドープ光ファイバ、波長０．９８μｍの第１のポンプ光を発生する第１の光源、および、光分岐器により分岐された上記第１のポンプ光の一方の分岐光を該エルビウムドープ光ファイバに入力光と逆方向に入射する、該第１のエルビウムドープ光ファイバの出力側に設けられた第１の光合波器を含んで構成される、利得が２０ｄＢ以下とされた第１段光アンプと、
該第１段光アンプに縦列接続される第２のエルビウムドープ光ファイバ、上記光分岐器により分岐された第１のポンプ光の他方の分岐光を該第２のエルビウムドープ光ファイバに入力光と同方向に入射する、該第２のエルビウムドープ光ファイバの入力側に設けられた第２の光合波器、波長１．４８μｍの第２のポンプ光を発生する第２の光源、および、該第２のポンプ光を上記第２のエルビウムドープ光ファイバに入力光と逆方向に入射する、該第２のエルビウムドープ光ファイバの出力側に設けられた第３の光合波器を含んで構成される第２段光アンプと、
上記第１段光アンプと第２段光アンプとの間において、第１段光アンプの第１のエルビウムドープ光ファイバの出力側と第２段光アンプの第２の光合波器との間に挿入された第１の光アイソレータおよび利得波長特性補正フィルタと、
上記第２段光アンプの第３の光合波器の出力側に挿入された第２の光アイソレータと
を備えることを特徴とする光ファイバ増幅器。
【発明の詳細な説明】
【０００１】
【発明の属する技術分野】
この発明は、長距離光通信システムにおいてリピータとして用いられるのに好適な光ファイバ増幅器に関し、とくに、エルビウムドープ光ファイバの光ポンピング作用を利用した光ファイバ増幅器に関する。
【０００２】
【従来の技術】
エルビウムドープ光ファイバを用いた光アンプを２段構成とした光ファイバ増幅器はたとえば特開平７−１７６８１７号などで知られている。これは、エルビウムドープ光ファイバ利用の光アンプを２段縦列接続し、その前後および中間に光アイソレータなどの受動光素子を挿入したものである。
【０００３】
【発明が解決しようとする課題】
しかしながら、従来の光ファイバ増幅器は、エルビウムドープ光ファイバの物理的性質から利得波長特性が平坦でないという問題がある。また、雑音指数特性、出力光パワー、励起光パワーの有効利用などの点でも改善の余地がある。とくに長距離光通信システムにおいてリピータとして用いられる場合には、これらがすべてバランスよく高められていることが要請される。
【０００４】
この発明は、上記に鑑み、十分な吟味の上、雑音指数特性、出力光パワーを両立させるとともに、さらに利得波長特性を平坦化し、励起光パワーの有効利用を図って低価格化をも推進できるように改善した、光ファイバ増幅器を提供することを目的とする。
【０００５】
【課題を解決するための手段】
上記の目的を達成するため、請求項１記載の発明による光ファイバ増幅器においては、
入力端に光アイソレータを介さずに接続される第１のエルビウムドープ光ファイバ、波長０．９８μｍの第１のポンプ光を発生する第１の光源、および、光分岐器により分岐された上記第１のポンプ光の一方の分岐光を該エルビウムドープ光ファイバに入力光と同方向に入射する、該第１のエルビウムドープ光ファイバの入力側に設けられた第１の光合波器を含んで構成される、利得が２０ｄＢ以下とされた第１段光アンプと、
該第１段光アンプに縦列接続される第２のエルビウムドープ光ファイバ、上記光分岐器により分岐された第１のポンプ光の他方の分岐光を該第２のエルビウムドープ光ファイバに入力光と同方向に入射する、該第２のエルビウムドープ光ファイバの入力側に設けられた第２の光合波器、波長１．４８μｍの第２のポンプ光を発生する第２の光源、および、該第２のポンプ光を上記第２のエルビウムドープ光ファイバに入力光と逆方向に入射する、該第２のエルビウムドープ光ファイバの出力側に設けられた第３の光合波器を含んで構成される第２段光アンプと、
上記第１段光アンプと第２段光アンプとの間において、第１段光アンプの第１のエルビウムドープ光ファイバの出力側と第２段光アンプの第２の光合波器との間に挿入された第１の光アイソレータおよび利得波長特性補正フィルタと、
上記第２段光アンプの第３の光合波器の出力側に挿入された第２の光アイソレータと
が備えられることが特徴となっている。
【０００６】
上記の目的を達成するため、請求項２記載の発明による光ファイバ増幅器においては、
入力端に光アイソレータを介さずに接続される第１のエルビウムドープ光ファイバ、波長０．９８μｍの第１のポンプ光を発生する第１の光源、および、光分岐器により分岐された上記第１のポンプ光の一方の分岐光を該エルビウムドープ光ファイバに入力光と逆方向に入射する、該第１のエルビウムドープ光ファイバの出力側に設けられた第１の光合波器を含んで構成される、利得が２０ｄＢ以下とされた第１段光アンプと、
該第１段光アンプに縦列接続される第２のエルビウムドープ光ファイバ、上記光分岐器により分岐された第１のポンプ光の他方の分岐光を該第２のエルビウムドープ光ファイバに入力光と同方向に入射する、該第２のエルビウムドープ光ファイバの入力側に設けられた第２の光合波器、波長１．４８μｍの第２のポンプ光を発生する第２の光源、および、該第２のポンプ光を上記第２のエルビウムドープ光ファイバに入力光と逆方向に入射する、該第２のエルビウムドープ光ファイバの出力側に設けられた第３の光合波器を含んで構成される第２段光アンプと、
上記第１段光アンプと第２段光アンプとの間において、第１段光アンプの第１のエルビウムドープ光ファイバの出力側と第２段光アンプの第２の光合波器との間に挿入された第１の光アイソレータおよび利得波長特性補正フィルタと、
上記第２段光アンプの第３の光合波器の出力側に挿入された第２の光アイソレータと
が備えられることが特徴となっている。
【０００７】
これら請求項１、２の発明において、第１段光アンプは、波長０．９８μｍのポンプ光（励起光）で励起され、しかもその利得は２０ｄＢ以下に抑えられ、かつこれより入力側には光アイソレータを挿入しないこととしているため、雑音指数特性を向上させることができる。まず、励起光としては波長０．９８μｍのものと波長１．４８μｍのものとが考えられるが、前者の方が後者のほうよりも雑音指数を下げるという点では有利である。
【０００８】
つぎに、光アイソレータが第１段光アンプの前に挿入されていないことについては、このように光アイソレータがない場合第１段光アンプのエルビウムドープ光ファイバで発生したＡＳＥ光（エルビウムドープ光ファイバにポンプ光を入射したときに発生する自然放出光で、光ファイバの両方向に放出される）が、入力端に接続された外部の光ファイバ（線路）に向かって出て行き、この光ファイバでレーリ散乱等を起こし戻ってきて信号と一緒に入力される。これが光アイソレータを取り除いたときの雑音指数特性の劣化原因である。他方、光アイソレータを挿入しなければ、光アイソレータ分だけ挿入損失を減少させることができ、この点では雑音指数特性を改善することができる。そこで、光ファイバ増幅器全体の利得は第２段光アンプで主にかせぐこととして第１段光アンプの利得を２０ｄＢ以下というように小さくすることにより、第１段アンプで発生するＡＳＥ光を小さくし、光アイソレータがないことによるＡＳＥ光の戻りによる雑音指数特性の劣化を抑えるようにしている。すなわち、光アイソレータの挿入損失がなくなった分だけの雑音指数特性改善効果が、光アイソレータがないことによるＡＳＥ光の戻りによる雑音指数特性の劣化を上回るように、第１段光アンプの利得を２０ｄＢ以下に抑えれば、結果として、第１段光アンプの段階で、全体として雑音指数特性を改善することができる。また、光アイソレータが不要になることから製造コストを低下させることができる。
【０００９】
なお、第１段光アンプの利得を小さくするには、具体的には、たとえばエルビウムドープ光ファイバの長さを短くするか、励起光パワーを小さくするか、の両方あるいは一方を採用することで可能である。
【００１０】
請求項１、２の発明において、第２段光アンプは、波長０．９８μｍのポンプ光で前方励起されかつ波長１．４８μｍのポンプ光で後方励起されたエルビウムドープ光ファイバよりなる。一般に高出力パワーを得るためには、ポンプ光は波長０．９８μｍよりは波長１．４８μｍの方が有利である。ここでは波長１．４８μｍのポンプ光で後方励起しているため、より大きなゲインを得ることができる。さらに出力パワーは、全体として供給されるポンプ光パワーに比例するため、このようにエルビウムドープ光ファイバの前後からポンプ光を供給することは、全体としての供給パワーを高めることになり、出力パワーをより上げることができる。またこうすることが部品コストの点でも有利である。上記のように、とくに第１段光アンプのポンプ光は小さいパワーでよいので、第１の光源からの光パワーとしては未使用分が残ることになる。その余剰分を分岐すれば第２段光アンプの前方励起用ポンプ光として使用できることに着目し、第１の光源の光の有効利用を図ることは、第２の光アンプの前方励起用として別途光源を用意する必要をなくすことを意味し、部品コストを下げることにもつながる。
【００１１】
このように、雑音指数特性の優れた第１段光アンプと利得の高い第２段光アンプとからなる光ファイバ増幅器を全体として見れば、雑音指数を低くすることと、大きな光出力を得ることとの両方を得ることができる。
【００１２】
そして、請求項１、２の発明において、利得波長特性補正フィルタは第１段光アンプと第２段光アンプとの間において、第１段光アンプの第１のエルビウムドープ光ファイバの出力側と第２段光アンプの第２の光合波器との間に挿入されている。そのため、雑音指数特性の劣化を招かずにフィルタによる損失を抑えて励起光パワーの有効利用を図ることができる。すなわち、エルビウムドープ光ファイバの利得波長特性が信号波長帯域で平坦でないことから、これを平坦にするための補正フィルタを用いる場合、第１段光アンプの前、第１段光アンプと第２段光アンプとの間、第２段光アンプの後、の３箇所が考えられる。このフィルタは利得の大きい波長と利得の小さい波長との間の利得の差をなくすためのものであるから、絶対パワーが小さい方がフィルタによる損失は小さくできる。そこで、第１段光アンプの前に挿入するのがこの点ではベストということになる。しかし、入力側であればあるほど、信号に対する相対的な挿入損失は大きくなるため、雑音指数特性が劣化することになる。これを考慮しこれらのバランスを考えると、補正フィルタは第１段光アンプと第２段光アンプとの間に挿入するのがよいことになる。このように、雑音指数特性の劣化を防ぎながら、挿入損失を少なくし、光ファイバ増幅器全体の利得を向上できる。このことは、換言すると、より小さな励起光パワーで大きな出力を得ることを意味し、出力の小さい光源を使用することができて製造コストを下げることができるとともに、より小さな励起光パワーで大きな出力を得ることができて効率を高めることができたことになり、消費電力を下げることにつながる。
【００１３】
第１段光アンプにおいて、請求項１記載の発明のように入力側に光合波器を設けて前方励起とした場合には、エルビウムドープ光ファイバ自体の雑音指数特性は、出力側に光合波器を設けて後方励起とした場合よりも、良好なものとなる。
【００１４】
これに対して、請求項２記載の発明のように、第１段光アンプにおいて、エルビウムドープ光ファイバにポンプ光を入射する光合波器の位置を出力側として後方励起としたときは、たしかに前方励起方式に比べて不利な面があることは否めないが、工夫によりその不利な点を解消することは可能である。つまり、エルビウムドープ光ファイバの全体にポンプ光がいきわたるようにエルビウムドープ光ファイバの長さを短くするとともにそれに見合う程度に励起光パワーを十分大きくすれば、後方励起方式といえども、前方励起方式に比較して、エルビウムドープ光ファイバ自体の雑音指数特性を劣化させないようにできる。また、この場合も、エルビウムドープ光ファイバの入力側に光合波器がないため、その光合波器分の挿入損失を減少させることができ、これによる雑音指数特性改善が見込めることも見逃せない。
【００１５】
これらにより、請求項２の発明の場合も、第１段光アンプの段階での雑音指数特性を改善できる。なお、ここで励起光パワーを十分大きくすることは、一見、先に述べた第１段光アンプでの利得を２０ｄＢ以下に抑えるために励起光パワーを小さくすることと矛盾するようにも思われるが、利得を抑えるための励起光パワーは絶対的な値であるのに対して、ここでの励起光パワーの大きさはエルビウムドープ光ファイバの長さに見合う相対的な値であり、両立可能である。
【００１６】
結局、請求項２の発明の場合も、絶対的な値としては第１段光アンプにおける励起光パワーは小さなものでよいので、この第１段光アンプの光源からのポンプ光を分岐して第２段光アンプにも用いることができる。こうすると、第２段光アンプでは、エルビウムドープ光ファイバを第１段光アンプの光源から分岐してきたポンプ光と、第２段光アンプそれ自体の光源からのポンプ光との両方で励起することができて、この第２段光アンプにおける利得を高めることができる。そのため、第１段光アンプの光源の有効利用を図れたことになり、光ファイバ増幅器全体として見ても、２つの光源からの光を有効利用することができたことになる。そこで、２つの光源を合わせた全体ではより小さな励起光パワーで大きな出力を得ることができ、より出力の小さい光源を使用することができて製造コストを下げることができるとともに、消費電力を下げることができる。
【００１７】
【発明の実施の形態】
つぎに、この発明の実施の形態について図面を参照しながら詳細に説明する。この発明にかかる光ファイバアンプは、図１に示すように、基本的には、入力光コネクタ１１および出力光コネクタ１２の間に、エルビウムドープ光ファイバ２１、２２による２段の光アンプを縦列に接続することにより構成される。さらに具体的に説明すると、第１段光アンプのエルビウムドープ光ファイバ２１には、その入力側（入力光コネクタ１１との間）に光合波器３１が挿入されている。この光合波器３１は、エルビウムドープ光ファイバ２１の入力側からポンプ光を入射してこれを前方励起するためのもので、この光合波器３１には、レーザダイオード５１からの波長０．９８μｍのポンプ光が光分岐器６２を介して導かれている。
【００１８】
エルビウムドープ光ファイバ２１による第１段光アンプと、エルビウムドープ光ファイバ２２による第２段光アンプの間には、光アイソレータ４１と、利得波長特性補正フィルタ６１とが挿入されている。
【００１９】
エルビウムドープ光ファイバ２２には、その入力側に光合波器３２が挿入され、かつ出力側に光合波器３３が挿入されている。光合波器３２はエルビウムドープ光ファイバ２２の入力側にポンプ光を入射してこれを前方励起するためのものであり、光合波器３３はエルビウムドープ光ファイバ２２の出力側にポンプ光を入射してこれを後方励起するためのものである。光合波器３２には、上記のレーザダイオード５１からのポンプ光を光分岐器６２で分岐した他方の光が導かれている。光合波器３３には、レーザダイオード５２からの波長１，４８μｍのポンプ光が導かれている。
【００２０】
エルビウムドープ光ファイバ２２の出力側では、光合波器３３と出力光コネクタ１２との間に、光アイソレータ４２が挿入されている。
【００２１】
エルビウムドープ光ファイバ２１では、光合波器３１を介して入射させられるポンプ光によるポンピング作用によって増幅作用が生じ、入力光コネクタ１１を介して入力された光信号が増幅される。この増幅度（利得）は、２０ｄＢ以下と小さいものとされる。一般にエルビウムドープ光ファイバの利得を決めるのは、エルビウムドープ光ファイバの長さと励起光パワーであるから、利得を小さくするには、たとえばエルビウムドープ光ファイバ２１の長さを小さくするか励起光パワーを小さくするか、あるいはその両方を採用すればよい。いずれにしても、このエルビウムドープ光ファイバ２１の励起光パワーは小さいものでよいので、レーザダイオード５１の出力全部を用いる必要はない。
【００２２】
そこで、レーザダイオード５１の出力光を光分岐器６２で分岐してその一方を用いる。分岐した他方の光は光合波器３２に導いてエルビウムドープ光ファイバ２２の前方励起用のポンプ光として用いる。エルビウムドープ光ファイバ２２は、光合波器３２を介して入射させられるポンプ光による前方励起と、光合波器３３を介して入射させられるレーザダイオード５２からのポンプ光による後方励起とによって、励起させられることになる。そこで、これら２つのポンプ光を合わせた励起光パワーに対応する大きな利得が得られる。
【００２３】
なお、このようにレーザダイオード５１の出力光を光分岐器６２で分岐せずに、レーザダイオード５１の光はすべて光合波器３１に導いてエルビウムドープ光ファイバ２１の励起に用い、光合波器３２には、別途設けたもう一つのレーザダイオード（図示しない）の出力光を導くようにしてもよい。この場合は、レーザダイオードが全部で３個必要となり、製造コストの点、およびレーザダイオード５１の出力光の有効利用という点で、上記の場合よりも不利である。
【００２４】
さらに、一般には、エルビウムドープ光ファイバは波長１．４８μｍのポンプ光で励起した方が、波長０．９８μｍのポンプ光で励起するよりも、大きな利得を得るという点では有利である。そこで、このエルビウムドープ光ファイバ２２でも、波長１．４８μｍのポンプ光で後方励起しているため、大きな利得を得る点では好ましい。これに対して、波長０．９８μｍのポンプ光で励起することは、波長１．４８μｍのポンプ光で励起する場合に比べて、利得では劣るものの、雑音指数特性の点では優れる。そのため、入力段のエルビウムドープ光ファイバ２１を波長０．９８μｍのポンプ光で励起することにより、この２段光アンプよりなる光ファイバ増幅器の全体では、雑音指数を低くすることと大きな出力を得ることとを両立させることができる。
【００２５】
そして、エルビウムドープ光ファイバ２１の入力側には光アイソレータが挿入されていないため、その分の挿入損失がなくなっており、雑音指数特性の改善が図られている。このように入力側に光アイソレータがない場合にはエルビウムドープ光ファイバ２１におけるＡＳＥ光が入力側に出ていって、光コネクタ１１に接続された光線路（光ファイバ）でレーリ散乱等を起こし戻ってきて信号と一緒に入力され、雑音指数特性を劣化させる。この雑音指数特性の劣化は、レーリ散乱等による反射率とＡＳＥ光の大きさ（つまり励起光パワーに対応する利得）で決まる。そのため、このエルビウムドープ光ファイバ２１における利得を抑えればＡＳＥ光を小さくすることができるため、光アイソレータがないことによるＡＳＥ光の戻りによる雑音指数特性の劣化を少なくすることができる。
【００２６】
光アイソレータの挿入損失は一般に０．５ｄＢ、エルビウムドープ光ファイバ２１自体の雑音指数の増加は０．３ｄＢ程度と考えられ、光線路として用いられる通常の光ファイバでは、レーリ散乱等の反射率が−３０ｄＢ程度としてよいので、これらから計算すると、エルビウムドープ光ファイバ２１における利得を２０ｄＢ以下とすれば、光アイソレータの挿入損失がなくなった分だけの雑音指数特性改善効果が、光アイソレータがないことによるＡＳＥ光の戻りによる雑音指数特性の劣化を上回ることになり、結果的に雑音指数特性を改善できる。
【００２７】
これらのエルビウムドープ光ファイバ２１、２２は、使用波長帯域で波長利得特性が平坦とはならない性質がある。そこで、波長利得特性を平坦化するための補正フィルタ６１を用いる必要があるが、図１のようにエルビウムドープ光ファイバ２１とエルビウムドープ光ファイバ２２との間に挿入することがベストである。すなわち、補正フィルタ６１の挿入位置としては、エルビウムドープ光ファイバ２１の前、エルビウムドープ光ファイバ２１とエルビウムドープ光ファイバ２２との間、エルビウムドープ光ファイバ２２の後、の３箇所が考えられる。
【００２８】
この補正フィルタ６１は利得の大きい波長と利得の小さい波長との間の利得の差をなくすためのものである。つまり、利得の大きい波長での利得を下げるものである。そのため、絶対パワーが小さい方がこのフィルタ６１による損失は小さくできる。そこで、エルビウムドープ光ファイバ２１の前に挿入すれば損失は最も小さくできる。しかし、フィルタ６１を挿入すると、その挿入損失の分だけ雑音指数特性は劣化し、入力側であればあるほど、信号に対する相対的な挿入損失は大きくなるため、雑音指数特性が劣化する。そこでこれらのバランスを考えると、補正フィルタ６１を図１のようにエルビウムドープ光ファイバ２１とエルビウムドープ光ファイバ２２との間に挿入することによって、雑音指数の低下と大きな出力とを両立させることができる。すなわち、雑音指数特性の劣化を招かずにフィルタ６１による挿入損失を抑えて励起光パワーの有効利用を図ることができる。
【００２９】
図２に示す例では、入力光コネクタ１１と出力光コネクタ１２との間に、エルビウムドープ光ファイバ２１、２２が縦列接続されている。エルビウムドープ光ファイバ２１の出力側にはレーザダイオード５１からの０．９８μｍの光が光分岐器６２を介して導かれている光合波器３１が設けられて、このエルビウムドープ光ファイバ２１が後方励起される。すなわち、図１でエルビウムドープ光ファイバ２１の入力側に設けられていた光合波器３１がエルビウムドープ光ファイバ２１の出力側に移されており、エルビウムドープ光ファイバ２１の入力側では、入力光コネクタ１１との間には、なんらの受動光素子も挿入されていない状態となっている。
【００３０】
また、エルビウムドープ光ファイバ２２の入力側には、レーザダイオード５１からの０．９８μｍの光が光分岐器６２を介して導かれている光合波器３２が設けられて、このエルビウムドープ光ファイバ２２が前方励起され、その出力側にはレーザダイオード５２からの１．４８μｍの光が導かれている光合波器３３が設けられて、このエルビウムドープ光ファイバ２２が後方励起される。
【００３１】
エルビウムドープ光ファイバ２１とエルビウムドープ光ファイバ２２との間（光合波器３１と３２との間）には光アイソレータ４１と利得波長特性補正フィルタ６１が挿入され、エルビウムドープ光ファイバ２２の出力側（出力光コネクタ１２との間）には光アイソレータ４２が挿入される。
【００３２】
この図２では、上記のようにエルビウムドープ光ファイバ２１の入力側になんらの受動光素子も挿入されていないため、なんらの挿入損失も生じることがない。図１と比較すると、光合波器３１の分の挿入損失を減少させることができて、この点では雑音指数特性を向上させることができる。
【００３３】
ただ、一般にはエルビウムドープ光ファイバ自体の雑音指数特性は前方励起の方が後方励起よりも良好である。しかし、エルビウムドープ光ファイバ２１の全体に十分に励起光がいきわたるようにエルビウムドープ光ファイバ２１を短くし、それに見合う程度の大きな励起光パワーを入射すれば、後方励起であっても、前方励起と遜色のない、雑音指数特性を得ることが可能である。
【００３４】
これについては、一見、エルビウムドープ光ファイバ２１における利得を２０ｄＢ以下に抑えるために励起光パワーを小さくすることと矛盾するようにも思われるが、利得を抑えるための励起光パワーは絶対的な値であるのに対して、ここでの励起光パワーの大きさはエルビウムドープ光ファイバ２１の長さに見合う相対的な値であり、両立可能である。
【００３５】
そのため、この図２の光ファイバ増幅器では、図１の光ファイバ増幅器よりもさらに雑音指数特性を改善することができ、しかもこれとともに、励起光パワーの有効利用を図って、大きな出力を得ることができる。
【００３６】
なお、この発明は上記の各例に限定されるものではなく、具体的な構成など種々に変更できることはもちろんである。
【００３７】
【発明の効果】
以上説明したように、この発明の光ファイバ増幅器によれば、雑音指数特性を改善することと出力光パワーを大きくすることと両立させるとともに、さらに利得波長特性を平坦化し、しかも励起光パワーの有効利用を図って低価格化・低消費電力化をも可能とする。
【図面の簡単な説明】
【図１】この発明の実施の形態を示すブロック図。
【図２】他の例を示すブロック図。
【符号の説明】
１１                        入力光コネクタ
１２                        出力光コネクタ
２１、２２    エルビウムドープ光ファイバ
３１〜３３    光合波器
４１、４２    光アイソレータ
５１、５２    レーザダイオード
６１                        利得波長特性補正フィルタ
６２                        光分岐器
【図１】
0003669083.tif 000002
【図２】
0003669083.tif 000003